(57)【要約】【課題】  モードダイヤルと押ボタンとを外ケースなどの取付部材に並び配列している携帯型電気機器において、押ボタンを利用してモードダイヤルをロックすることができるようにする。【解決手段】  押ボタン５を作用体６と押ボタン本体７とに分割する。押ボタン本体７は、その操作基準位置を起点としてモードダイヤル２の設置位置に近付く方向に向かう引寄せスライド動作が可能であり、かつ、引寄せ位置から操作基準位置に向かう戻り方向に戻りスライド動作が可能がある。モードダイヤル２に追従回転する補助板３に突起でなる被係合部材４を設け、押ボタン本体７に突出片でなる係合部材９を設ける。モードダイヤル２の電源オフモード位置で、被係合部材４と係合部材９とが対向するように構成する。【選択図】        図１
2008198503.tif 000002
【特許請求の範囲】
【請求項１】
回転操作されるモードダイヤルと押込み操作される押ボタンとが取付部材に並び配列されていて、押ボタンが操作基準位置で押込み操作されたときにその押ボタンに設けられている押圧部がスイッチを動作させるように構成されている携帯型電気機器であって、
前記押ボタンが、その操作基準位置で前記取付部材に片持ち状に取り付けられてその取付箇所を支点として当該押ボタンの押込み操作方向に対して正逆変位可能でかつ前記押圧部を具備する作用体と、前記操作基準位置でその作用体に重なり合ってその作用体に押込み操作力を伝える押ボタン本体とに分割され、
平板状の前記取付部材に、前記操作基準位置で前記押ボタン本体を押込み操作及び復帰動作可能に収容する開口部と、その開口部から前記モードダイヤルの設置位置に近付く方向に延び出た細幅溝部とが備わっているのに対し、前記押ボタン本体に前記細幅溝部に嵌入可能な括れ部が具備され、
前記押ボタン本体が、前記作用体に重なり合っている操作基準位置を起点として前記モードダイヤルの設置位置に近付く方向に引寄せられることにより前記括れ部が前記細幅溝部に嵌入する引寄せスライド動作が可能とされ、かつ、その細幅溝部に嵌入した前記括れ部が前記取付板部に係合して当該押ボタン本体が押込み操作不能に支持されるようになっていると共に、引寄せスライド動作されることによって移動した前記押ボタン本体がその引寄せ位置から前記操作基準位置に向かう戻り方向に戻りスライド動作可能とされ、
モードダイヤルに固定されてそのモードダイヤルの回転操作に追従して回転する補助板に設けられた突起でなる被係合部材と、前記押ボタン本体から前記補助板に向けて突設されてその先端部に前記突起に嵌脱可能な凹部を備える突出片でなる係合部材とを有して、前記押ボタン本体が引寄せスライド動作されることによって前記係合部材がその凹部を前記被係合部材に係合させてモードダイヤルの回転操作を阻止する動作位置に移動し、前記押ボタン本体が戻りスライド動作されることによって前記係合部材が前記動作位置から退避するように構成され、
前記モードダイヤルに電源オフモード位置が付与されていて、その電源オフモード位置に前記モードダイヤルが位置合わせされているときに、前記被係合部材と前記係合部材の凹部とが前記押ボタンの引寄せスライド動作方向で対向するように構成されていることを特徴とする携帯型電気機器。
【請求項２】
回転操作されるモードダイヤルと押込み操作される押ボタンとが取付部材に並び配列されていて、押ボタンが操作基準位置で押込み操作されたときにその押ボタンに設けられている押圧部がスイッチを動作させるように構成されている携帯型電気機器であって、
前記押ボタンが、押込み操作の行われる前記操作基準位置を起点として前記モードダイヤルの設置位置に近付く方向に引寄せスライド動作可能とされ、かつ、引寄せスライド動作されることによって移動した前記押ボタン本体がその引寄せ位置から前記操作基準位置に向かう戻り方向に戻りスライド動作可能とされていると共に、前記押ボタンに係合部材が設けられ、その係合部材の相手方部材である被係合部材が前記モードダイヤルに設けられていて、前記押ボタンが引寄せスライド動作されることによって前記係合部材が前記被係合部材に係合してモードダイヤルの回転操作を阻止する動作位置に移動し、前記押ボタンが戻りスライド動作されることによって前記係合部材が前記動作位置から退避するように構成されていることを特徴とする携帯型電気機器。
【請求項３】
前記押ボタンが、前記操作基準位置で前記取付部材に当該押ボタンの押込み操作方向に対して正逆変位可能に取り付けられた作用体と、前記操作基準位置でその作用体に重なり合ってその作用体に押込み操作力を伝える押ボタン本体とに分割されていて、前記作用体に前記押圧部が具備されているのに対し、前記押ボタン本体が引寄せスライド動作可能及び戻りスライド動作可能とされてその押ボタン本体に前記係合部材が具備されている請求項２に記載した携帯型電気機器。
【請求項４】
前記被係合部材が、モードダイヤルに固定されてそのモードダイヤルの回転操作に追従して回転する補助板に設けられた突起でなり、前記係合部材が、前記押ボタン本体から前記補助板に向けて突設されてその先端部に前記突起に嵌脱可能な凹部を備える突出片でなる請求項３に記載した携帯型電気機器。
【請求項５】
平板状に形成された前記取付部材に、前記操作基準位置で前記押ボタン本体を押込み操作及び復帰動作可能に収容する開口部と、その開口部から前記モードダイヤルの設置位置に近付く方向に延び出た細幅溝部とが備わり、前記押ボタン本体に、その押ボタン本体が前記作用体に重なり合っている操作基準位置から引寄せスライド動作されることによって前記細幅溝部に嵌入される括れ部が具備され、前記細幅溝部に嵌入した括れ部が前記取付板部に係合して当該押ボタン本体が押込み操作不能に支持されるようになっている請求項４に記載した携帯型電気機器。
【発明の詳細な説明】
【技術分野】
【０００１】
本発明は、携帯型電気機器、特に、回転操作されるモードダイヤルと押込み操作される押ボタンとが外ケースなどの取付部材に並べて配列されている携帯型電気機器に関する。
【背景技術】
【０００２】
電源オフモード位置やその他の必要な動作モード位置が付与された回転操作式のモードダイヤルを備える携帯型電気機器では、モードダイヤルを電源オフモード位置に回転させて電力消費を遮断した状態で、使用者の被服のポケットやカバンに入れて持ち歩くことが多い。しかし、モードダイヤルが電源オフモード位置に設定されているとしても、モードダイヤルの回転がロックされていないままになっていると、電気機器をポケットやカバンに入れるときや持ち歩くときなどにモードダイヤルが電源オフモード位置から他の動作モード位置に不慮に回転してしまって無駄に電力消費が行われたり、他の動作モードでの動作不良を起こして故障の原因になったりするおそれがある。
【０００３】
そこで、従来より、モードダイヤル（回転操作ダイヤル）を所定の回転位置でロックするための対策を講じることが行われている（たとえば、特許文献１、特許文献２参照）。このうち、特許文献１によって提案されているものは、モードダイヤルの近くにボタン型の操作部を設けておき、この操作部を押し込むことによってモードダイヤルのロック状態が解除され、操作部から手を離すことによってモードダイヤルがロックされるようになっている。また、特許文献２によって提案されているものは、モードダイヤルにアンロックツマミを付設し、モードダイヤルが特定の回転位置に操作されたときにそのアンロックツマミが移動してモードダイヤルをロックするようになっている。
【特許文献１】特開２００５−３４５６５７号公報
【特許文献２】特開２０００−１９５３６１号公報
【発明の開示】
【発明が解決しようとする課題】
【０００４】
しかしながら、上掲の特許文献１で提案されているものは、モードダイヤルのロック及びロック解除を可能にするためにボタン型の操作部を余分に追加する必要があり、特許文献２で提案されているものにあっても、モードダイヤルのロック及びロック解除を可能にするためにモードダイヤルにアンロックツマミを余分に追加する必要がある。そのため、携帯型電気機器をポケットやカバンに入れて持ち歩くときに起こり得る上記した無駄な電力消費や故障を無くするために、特許文献１や特許文献２によって提案されている技術を適用すると、電気機器筐体（外ケース）にボタン型の操作部又はアンロックツマミを余分に装備させる必要が生じ、それだけ外ケース表面での部品実装密度が高くなって組立作業が煩雑になり、量産性を低下させるおそれがある。
【０００５】
そこで、本願発明者は、携帯型の音楽プレーヤやボイスレコーダ、携帯型のテレビジョン受像機やラジオ受信機といった多くの携帯型電気機器では、モードダイヤルの近傍箇所に押ボタンが並び配列されていることが多いという点に着目し、その押ボタンを利用してモードダイヤルのロックやロック解除を行わせることを試みて本発明を完成させるに至った。
【０００６】
したがって、本発明は、モードダイヤルと押ボタンとが外ケースなどの取付部材に並び配列されている携帯型電気機器において、定位置である操作基準位置で押込み操作される押ボタンを利用してモードダイヤルをロックすることのできる対策を講じることによって、外ケース表面での部品実装密度を低く抑えて組立作業の煩雑化を回避し、量産性の低下を防ぐことのできる携帯型電気機器を提供することを目的とする。
【課題を解決するための手段】
【０００７】
本発明に係る携帯型電気機器は、回転操作されるモードダイヤルと押込み操作される押ボタンとが取付部材に並び配列されていて、押ボタンが操作基準位置で押込み操作されたときにその押ボタンに設けられている押圧部がスイッチを動作させるように構成されている。そして、前記押ボタンが、押込み操作の行われる前記操作基準位置を起点として前記モードダイヤルの設置位置に近付く方向に引寄せスライド動作可能とされ、かつ、引寄せスライド動作されることによって移動した前記押ボタン本体がその引寄せ位置から前記操作基準位置に向かう戻り方向に戻りスライド動作可能とされている。加えて、前記押ボタンに係合部材が設けられ、その係合部材の相手方部材である被係合部材が前記モードダイヤルに設けられていて、前記押ボタンが引寄せスライド動作されることによって前記係合部材が前記被係合部材に係合してモードダイヤルの回転操作を阻止する動作位置に移動し、前記押ボタンが戻りスライド動作されることによって前記係合部材が前記動作位置から退避するように構成されている。
【０００８】
この構成であると、押ボタンを引寄せスライド動作させて係合部材を動作位置に移動させることによって、その係合部材を被係合部材に係合させると、モードダイヤルがロックされてその回転操作が阻止される。また、押ボタンを戻りスライド動作させて操作基準位置に復帰させると、モードダイヤルのロックが解除されてそのモードダイヤルを回転操作することができるようになり、併せて、押ボタンを操作基準位置で押込み操作することができるようになる。
【０００９】
本発明では、前記押ボタンが、前記操作基準位置で前記取付部材に当該押ボタンの押込み操作方向に対して正逆変位可能に取り付けられた作用体と、前記操作基準位置でその作用体に重なり合ってその作用体に押込み操作力を伝える押ボタン本体とに分割されていて、前記作用体に前記押圧部が具備されているのに対し、前記押ボタン本体が引寄せスライド動作可能及び戻りスライド動作可能とされてその押ボタン本体に前記係合部材が具備されているという構成を採用することが可能である。この構成であると、押ボタン本体の位置によって押圧部とスイッチとの位置関係が影響を受けない。そのため、取付部材に取り付けられている作用体に重なり合った押ボタン本体を押し込むことによって作用体が押込み操作方向に変位して押圧部がスイッチを動作させるという状況が、押ボタン本体の位置に関係なく一定になる。その結果、戻りスライド動作によって押ボタン本体が正確に操作基準位置に復帰されていなくても、その押ボタン本体が作用体に重なり合ってさえいればスイッチの動作安定性が確保されることになる。
【００１０】
本発明では、前記被係合部材が、モードダイヤルに固定されてそのモードダイヤルの回転操作に追従して回転する補助板に設けられた突起でなり、前記係合部材が、前記押ボタン本体から前記補助板に向けて突設されてその先端部に前記突起に嵌脱可能な凹部を備える突出片でなる、という構成を採用することが可能である。これによれば、係合部材が押ボタン本体に一体化されて部品点数の増加が抑えられる。
【００１１】
本発明では、平板状に形成された前記取付部材に、前記操作基準位置で前記押ボタン本体を押込み操作及び復帰動作可能に収容する開口部と、その開口部から前記モードダイヤルの設置位置に近付く方向に延び出た細幅溝部とが備わり、前記押ボタン本体に、その押ボタン本体が前記作用体に重なり合っている操作基準位置から引寄せスライド動作されることによって前記細幅溝部に嵌入される括れ部が具備され、前記細幅溝部に嵌入した括れ部が前記取付板部に係合して当該押ボタン本体が押込み操作不能に支持されるようになっている、という構成を採用することが可能である。これによれば、モードダイヤルのロック時に押ボタン本体が押込み操作されることが阻止される。
【００１２】
本発明に係る携帯型電気機器は次の構成を採用することによっていっそう具体化される。すなわち、回転操作されるモードダイヤルと押込み操作される押ボタンとが取付部材に並び配列されていて、押ボタンが操作基準位置で押込み操作されたときにその押ボタンに設けられている押圧部がスイッチを動作させるように構成されている携帯型電気機器であって、前記押ボタンが、その操作基準位置で前記取付部材に片持ち状に取り付けられてその取付箇所を支点として当該押ボタンの押込み操作方向に対して正逆変位可能でかつ前記押圧部を具備する作用体と、前記操作基準位置でその作用体に重なり合ってその作用体に押込み操作力を伝える押ボタン本体とに分割され、平板状の前記取付部材に、前記操作基準位置で前記押ボタン本体を押込み操作及び復帰動作可能に収容する開口部と、その開口部から前記モードダイヤルの設置位置に近付く方向に延び出た細幅溝部とが備わっているのに対し、前記押ボタン本体に前記細幅溝部に嵌入可能な括れ部が具備され、前記押ボタン本体が、前記作用体に重なり合っている操作基準位置を起点として前記モードダイヤルの設置位置に近付く方向に引寄せられることにより前記括れ部が前記細幅溝部に嵌入する引寄せスライド動作が可能とされ、かつ、その細幅溝部に嵌入した前記括れ部が前記取付板部に係合して当該押ボタン本体が押込み操作不能に支持されるようになっていると共に、引寄せスライド動作されることによって移動した前記押ボタン本体がその引寄せ位置から前記操作基準位置に向かう戻り方向に戻りスライド動作可能とされ、モードダイヤルに固定されてそのモードダイヤルの回転操作に追従して回転する補助板に設けられた突起でなる被係合部材と、前記押ボタン本体から前記補助板に向けて突設されてその先端部に前記突起に嵌脱可能な凹部を備える突出片でなる係合部材とを有して、前記押ボタン本体が引寄せスライド動作されることによって前記係合部材がその凹部を前記被係合部材に係合させてモードダイヤルの回転操作を阻止する動作位置に移動し、前記押ボタン本体が戻りスライド動作されることによって前記係合部材が前記動作位置から退避するように構成され、前記モードダイヤルに電源オフモード位置が付与されていて、その電源オフモード位置に前記モードダイヤルが位置合わせされているときに、前記被係合部材と前記係合部材の凹部とが前記押ボタンの引寄せスライド動作方向で対向するように構成されている、という構成を採用することによっていっそう具体化される。この発明の作用などについては後述する実施形態を参照して詳細に説明する。
【発明の効果】
【００１３】
以上のように、本発明に係る携帯型電気機器によれば、押ボタンを利用してモードダイヤルをロックすることができるようになっているので、使用者が被服のポケットやカバンに携帯型電気機器を入れて持ち歩くときにモードダイヤルをロックして不慮の電力消費や故障などを防ぐことが可能であることは勿論、外ケース表面での部品実装密度を低く抑えて組立作業の煩雑化を回避し、量産性の低下を防ぐことが可能になるという効果が奏される。
【発明を実施するための最良の形態】
【００１４】
図１は本発明に係る携帯型電気機器の要部の分解斜視図、図２は係合部材９を備える押ボタン本体７の概略斜視図、図３は作用体６の概略斜視図、図４はモードダイヤル２のロックが解除されている状態での上記要部の縦断正面図、図５は図４の状態での係合部材９と被係合部材４との関係を示した底面図、図６は図４の状態での押ボタン本体７の位置を示した平面図、図７はモードダイヤル２がロックされている状態での上記要部の縦断正面図、図８は図７の状態での係合部材９と被係合部材４との関係を示した底面図、図９は図７の状態での押ボタン本体７の位置を示した平面図である。
【００１５】
図１によって判るように、この実施形態に係る携帯型電気機器は、平板状の取付部材１と、この取付部材１に並び配列されるモードダイヤル２及び押ボタン５とを備えているほか、補助板３とその補助板３に設けられた突起でなる被係合部材４、押ボタン５に設けられた係合部材９などを備えている。
【００１６】
図１、図４〜図６、図７〜図９に示したように、モードダイヤル２と円形の補助板３とは、取付部材１を挟んでその表面側と裏面側とに配備され、かつ、取付ビス２１で互いに結合されることによって取付部材１に開設されている円形の開口１２に回転可能に取り付けられる。取付部材１には、たとえば携帯型電気機器の外ケースが相当していて、その取付部材１に上記のように取り付けられたモードダイヤル２には、当該電気機器の種々の動作モードを選択する機能が割り当てられていて、それらの動作モードの１つに電源オフモードがある。すなわち、モードダイヤル２を回転操作すると、その回転位置に応じて電源オフモードが設定されたり、電源オン状態での他の動作モード、たとえば録音モード、再生モード、選曲モードなどが選択されたりする。加えて、この実施形態では、モードダイヤル２にはその中央に押ボタン８が装備されていて、この押ボタン８に設けられたロッド状の押圧部８１が補助板３の中心孔３１に挿通されている。そして、この押圧部８１に対しては、配線基板Ｐに搭載されているスイッチＳ２が対応している。
【００１７】
図１のように、押ボタン５は作用体６と押ボタン本体７とに分割されている。図２のように、押ボタン本体７は、その前後の両側面にその全幅に亘る溝形面７１，７１を具備させることによって形成された括れ部７２をその高さ方向中間部に備えていると共に、その括れ部７２の形成箇所の下側から突設された横向きの突出片でなる前記係合部材９を備えていて、その係合部材９の先端面には凹部９１が備わっている。これに対し、作用体６は、図３のように、押ボタン本体７を受入れるための有底の凹所６１を有する作用体主部６２と、この作用体主部６２に連設されてその作用体主部の片側に向けて延び出た梁部６３と、作用体主部６２から突出されたロッド状の押圧部６４とを備えていて、梁部６３には、作用体主部６２から最も離れた位置に取付部６５が形成されている。
【００１８】
図４及び図７のように、前記作用体６は、その梁部６３の取付部６５を、取付部材１に一体成形されている取付けボス１２（図１参照）を利用して固定することによって、取付部材１に片持ち状に取り付けられていると共に、作用体主部６２が取付箇所を支点として押ボタンの押込み操作方向（後述する）及びその操作方向とは反対方向（正逆方向）に変位可能であり、押込み操作方向に変位した後に押込み操作力が解除されると、取付けボス１２や梁部６３などの弾性によって作用体主部６２が取付部材１に重なり合う初期位置に弾性復帰可能である。そして、この作用体主部６２に備わっている押圧部６４には、配線基板Ｐに搭載されているスイッチＳ１が対応している。
【００１９】
これに対し、取付部材１には、前記押ボタン本体７が挿通可能な開口部１４と、この開口部１４の１辺中央部から前記モードダイヤル２の設置位置に近付く方向にまっすぐに延び出た細幅溝部１５とが形成されている。そして、図４のように、作用体６の作用体主部６２の凹所６１に収容させてその作用体主部６２に重ね合わされた押ボタン本体７が、前記開口部１４に押込み操作及び復帰動作可能に収容されている。このように押ボタン本体７が前記開口部１４に押込み操作及び復帰動作可能に収容されているときの押ボタン本体７の位置がその操作基準位置であり、この操作基準位置では、押ボタン本体７に加えられた押込み操作力が作用体６に伝えられてその作用体主部６２が梁部６３などの弾性に抗して押込み操作方向に変位する。
【００２０】
また、開口部１４に押ボタン本体７が押込み操作及び復帰動作可能に収容されている操作基準位置から押ボタン本体７が使用者によってモードダイヤル２の設置位置に近付く方向に引き寄せられると、押ボタン本体７が作用体主部６２の凹所６１から引き出されてその括れ部７２が取付部材１の細幅溝部１５に嵌入し、その嵌入状態のまま押ボタン本体７がモードダイヤル２の設置位置に近付く方向にスライドする。これが押ボタン本体７についての引寄せスライド動作である。
【００２１】
さらに、押ボタン本体７の括れ部７２が細幅溝部１５に嵌入している状態では、その括れ部７２が取付板部１に係合しているために押ボタン本体７の押込み操作を行うことはできなくなる。これに対し、引寄せスライド動作されることによって移動した押ボタン本体７は、その引寄せ位置から前記佐用体主部６２に重なり合って取付部材１の開口部１４に収容される操作基準位置に向かう戻り方向にもスライド可能であり、このときのスライド動作が戻りスライド動作である。
【００２２】
以上の構成において、操作基準位置に復帰している押ボタン本体７側の突片状の前記係合部材９には、モードダイヤル２を補助板３と共にその周方向の所定位置に回転させることによって突起でなる被係合部材４を対向させることが可能である。したがって、モードダイヤル２の電源オフモード位置を、被係合部材４が、操作基準位置に復帰している押ボタン本体７側の突片状の前記係合部材９に対向する位置に付与しておくと、次に説明する操作を行うことによってモードダイヤル２を電源オフモード位置でロックして回転しないように規制することが可能である。
【００２３】
すなわち、押ボタン本体７を図４〜図６に示した操作基準位置から引寄せスライド動作させると、係合部材９が動作位置に移動してその凹部９１が図７及び図８のように被係合部材４に係合してモードダイヤル２がロックされ、モードダイヤル２が回転しなくなる。このロック状態では、携帯型電気機器を被服のポケットやカバンに入れて持ち歩いても、モードダイヤル２が不慮に回転して電源オンモードになるという事態は起こり得ない。したがって、無駄な電力消費や電源オンに伴う故障が発生することはない。また、ロック状態では、押ボタン本体７の括れ部７２が取付部材１に係合してその押込み操作を行うことができないように支持されているので、ロック状態で押ボタン本体７が不慮に押し込まれて故障の原因になるといった事態も起こり得ない。
【００２４】
一方、押ボタン本体７を戻りスライド動作させると、係合部材９がその動作位置から退避して凹部９１が図４及び図５のように被係合部材４から離れるので、モードダイヤル２を回転させて電源をオンしたり所望の動作モードを選択することができるようになる。また、戻りスライド動作によって押ボタン本体７が図４〜図６に示した操作基準位置に復帰した状態では、その押ボタン本体７を押込み操作すると、その押込み押込み操作力が作用体６に伝えられてその作用体主部６２が梁部６３などの弾性に抗して押込み操作方向に変位してスイッチＳ１が動作する。また、押ボタン本体７に対する押込み操作力が解除されると、作用体主部６２が梁部６３などの弾性に抗して押込み操作方向に変位して押ボタン本体７を押し上げるので、その押ボタン本体７が操作基準位置で取付部材１から突出する初期位置に復帰する。
【００２５】
この実施形態では、係合部材９を押ボタン本体７に一体に成形してあるので、係合部材９を押ボタン本体７に結合する必要がなく、しかも、押ボタン本体７を作用体６と共に取付部材１に組み付ける工程を行うだけで係合部材９も組み付けられる。このことは、当該携帯型電気機器をその量産性を低下させずに組み立てることに役立つ。
【００２６】
また、この実施形態では、係合部材９が被係合部材４に係合することによって、モードダイヤル２が電源オフモード位置でロックされる事例を説明したけれども、モードダイヤル２をロックするときの動作モードは、電源オフモード位置に限定されず、たとえば、録音モードをロックする必要がある場合には、その動作モードを録音モードに定めることも可能である。
【図面の簡単な説明】
【００２７】
【図１】本発明に係る携帯型電気機器の要部の分解斜視図である。
【図２】係合部材を備える押ボタン本体の概略斜視図である。
【図３】作用体の概略斜視図である。
【図４】モードダイヤルのロックが解除されている状態での要部の縦断正面図である。
【図５】図４の状態での係合部材と被係合部材との関係を示した底面図である。
【図６】図４の状態での押ボタン本体の位置を示した平面図である。
【図７】モードダイヤルがロックされている状態での要部の縦断正面図である。
【図８】図７の状態での係合部材と被係合部材との関係を示した底面図である。
【図９】図７の状態での押ボタン本体の位置を示した平面図である。
【符号の説明】
【００２８】
１  取付部材
２  モードダイヤル
３  補助板
４  被係合部材
５  押ボタン
６  作用体
７  押ボタン本体
９  係合部材
１４  開口部
１５  細幅溝部
６４  押圧部
７２  括れ部
９１  凹部
Ｓ１  スイッチ
【図１】
2008198503.tif 000003
【図２】
2008198503.tif 000004
【図３】
2008198503.tif 000005
【図４】
2008198503.tif 000006
【図５】
2008198503.tif 000007
【図６】
2008198503.tif 000008
【図７】
2008198503.tif 000009
【図８】
2008198503.tif 000010
【図９】
2008198503.tif 000011